【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
動画撮像機能を有する端末であって、
前記動画撮像機能の符号化に用いられる複数のパラメータセットを格納するパラメータ格納手段と、
前記符号化におけるビットレートとフレームレートの目標値を格納する目標値格納手段と、
前記動画撮像機能で得られた動画像データにおけるビットレートとフレームレートの実測値を記録する実測値記録手段と、
今回の動画撮像が前回の動画撮像の撮り直しであるか否かを判別する撮り直し判別手段と、
前記撮り直し判別手段が撮り直しと判別した場合、前記実測値記録手段が記録した前回の撮像におけるビットレートとフレームレートの実測値と、前記目標値格納手段に格納されているビットレートとフレームレートの目標値との比率をそれぞれ算出する比率算出手段と、
前記比率算出手段が算出した比率に基づいて、前記パラメータ格納手段から符号化パラメータセットを選択する符号化パラメータ選択手段と、
を備えることを特徴とする動画撮像機能を有する端末。
【請求項２】
前記動画撮像機能による撮像毎の時間情報を記録する時間情報記録手段をさらに備え、
前記撮り直し判別手段は、動画撮像が実行されたことを契機に、前記時間情報記録手段に記録された時間情報に基づいて前回の撮像からの時間間隔を算出し、該算出した時間間隔に基づいて撮り直しであるか否かを判別する、
ことを特徴とする請求項１に記載の動画撮像機能を有する端末。
【請求項３】
前記符号化パラメータ選択手段は、
前記比率算出手段が算出する比率と所定の閾値との比較に基づき、ビットレートまたはフレームレートのいずれかの実測値が目標値よりも高い場合、ビットレートまたはフレームレートを低下させる符号化パラメータセットを選択し、
ビットレートおよびフレームレートのいずれの実測値も目標値より低い場合、ビットレートまたはフレームレートを向上させる符号化パラメータセットを選択する、
ことを特徴とする請求項１または２に記載の動画撮像機能を有する端末。
【請求項４】
前記実測値記録手段は、撮像毎のビットレートとフレームレートの平均値を算出する平均値算出手段をさらに備え、
前記平均値算出手段が算出したビットレートとフレームレートの平均値を前記実測値として記録する、
ことを特徴とする請求項１乃至３のいずれか１項に記載の動画撮像機能を有する端末。
【請求項５】
動画撮像機能を有する端末を制御するコンピュータに、
撮像毎のビットレートとフレームレートの平均値を算出する機能と、
前回の撮像と今回の撮像との時間間隔に基づいて、今回の撮像が前回の撮像の撮り直しであるか否かを判別する機能と、
撮り直しである場合、前回の撮像におけるビットレートとフレームレートの平均値と、予め設定されているビットレートとフレームレートの目標値との比率をそれぞれ算出する機能と、
算出した比率に基づいて、ビットレートまたはフレームレートのいずれかが目標値よりも高い場合、ビットレートまたはフレームレートを低下させる符号化パラメータを設定する機能と、
算出した比率に基づいて、ビットレートおよびフレームレートのいずれもが目標値よりも低い場合、ビットレートまたはフレームレートを向上させる符号化パラメータを設定する機能と、
を実現させることを特徴とするプログラム。
【手続補正２】
【補正対象書類名】明細書
【補正対象項目名】発明の名称
【補正方法】変更
【補正の内容】
【発明の名称】動画撮像機能を有する端末、および、プログラム
【手続補正３】
【補正対象書類名】明細書
【補正対象項目名】０００１
【補正方法】変更
【補正の内容】
【０００１】
本発明は、動画撮像機能を有する端末、および、プログラムに関する。
【手続補正４】
【補正対象書類名】明細書
【補正対象項目名】０００８
【補正方法】変更
【補正の内容】
【０００８】
本発明は、上記実状に鑑みてなされたものであり、動画撮像時にフレームレートとビットレートの双方を最適化して良好な動画像データを得ることのできる動画撮像機能を有する端末を提供することを目的とする。
【手続補正５】
【補正対象書類名】明細書
【補正対象項目名】０００９
【補正方法】変更
【補正の内容】
【０００９】
上記目的を達成するため、本発明の第１の観点に係る動画撮像機能を有する端末は、
動画撮像機能を有する端末であって、
前記動画撮像機能の符号化に用いられる複数のパラメータセットを格納するパラメータ格納手段と、
前記符号化におけるビットレートとフレームレートの目標値を格納する目標値格納手段と、
前記動画撮像機能で得られた動画像データにおけるビットレートとフレームレートの実測値を記録する実測値記録手段と、
今回の動画撮像が前回の動画撮像の撮り直しであるか否かを判別する撮り直し判別手段と、
前記撮り直し判別手段が撮り直しと判別した場合、前記実測値記録手段が記録した前回の撮像におけるビットレートとフレームレートの実測値と、前記目標値格納手段に格納されているビットレートとフレームレートの目標値との比率をそれぞれ算出する比率算出手段と、
前記比率算出手段が算出した比率に基づいて、前記パラメータ格納手段から符号化パラメータセットを選択する符号化パラメータ選択手段と、
を備えることを特徴とする。
【手続補正６】
【補正対象書類名】明細書
【補正対象項目名】００１０
【補正方法】変更
【補正の内容】
【００１０】
上記動画撮像機能を有する端末は、
前記動画撮像機能による撮像毎の時間情報を記録する時間情報記録手段をさらに備えていることが望ましく、この場合、
前記撮り直し判別手段は、動画撮像が実行されたことを契機に、前記時間情報記録手段に記録された時間情報に基づいて前回の撮像からの時間間隔を算出し、該算出した時間間隔に基づいて撮り直しであるか否かを判別することが望ましい。
【手続補正７】
【補正対象書類名】明細書
【補正対象項目名】００１１
【補正方法】変更
【補正の内容】
【００１１】
上記動画撮像機能を有する端末において、
前記符号化パラメータ選択手段は、
前記比率算出手段が算出する比率と所定の閾値との比較に基づき、ビットレートまたはフレームレートのいずれかの実測値が目標値よりも高い場合、ビットレートまたはフレームレートを低下させる符号化パラメータセットを選択し、
ビットレートおよびフレームレートのいずれの実測値も目標値より低い場合、ビットレートまたはフレームレートを向上させる符号化パラメータセットを選択することが望ましい。
【手続補正８】
【補正対象書類名】明細書
【補正対象項目名】００１２
【補正方法】変更
【補正の内容】
【００１２】
上記動画撮像機能を有する端末は、
前記実測値記録手段は、撮像毎のビットレートとフレームレートの平均値を算出する平均値算出手段をさらに備えていることが望ましく、この場合、
前記平均値算出手段が算出したビットレートとフレームレートの平均値を前記実測値として記録することが望ましい。
【手続補正９】
【補正対象書類名】明細書
【補正対象項目名】００１３
【補正方法】変更
【補正の内容】
【００１３】
上記目的を達成するため、本発明の第２の観点にかかるプログラムは、
動画撮像機能を有する端末を制御するコンピュータに、
撮像毎のビットレートとフレームレートの平均値を算出する機能と、
前回の撮像と今回の撮像との時間間隔に基づいて、今回の撮像が前回の撮像の撮り直しであるか否かを判別する機能と、
撮り直しである場合、前回の撮像におけるビットレートとフレームレートの平均値と、予め設定されているビットレートとフレームレートの目標値との比率をそれぞれ算出する機能と、
算出した比率に基づいて、ビットレートまたはフレームレートのいずれかが目標値よりも高い場合、ビットレートまたはフレームレートを低下させる符号化パラメータを設定する機能と、
算出した比率に基づいて、ビットレートおよびフレームレートのいずれもが目標値よりも低い場合、ビットレートまたはフレームレートを向上させる符号化パラメータを設定する機能と、
を実現させることを特徴とする。